(57)【要約】      （修正有）【課題】子供がランドセルとナップサック等を同時に背負ったまま使用することができ、ナップサック等の雨除け布を取り付けた傘を提供する。【解決手段】子供用傘の親骨２の３乃至５本の連続するつゆ先にＵ字に曲げてリング形状にした連結具３を介した添え骨６を備え、添え骨はＵ字に曲げたリング形状にした連結具５でつゆ先に取り付けられ、折り曲げ可能な連結機構４を介して添え骨に雨除けの布７を取り付けた。【選択図】図１
0003230184.tif 000002
【実用新案登録請求の範囲】
【請求項１】
並列する２以上の添え骨と、前記２以上の添え骨の上に張られた雨除け生地と、前記添え骨の一端と傘の親骨のつゆ先とを、折り曲げ可能に連結する連結部とを備える傘。
【請求項２】
前記連結部は、前記つゆ先の末端に固定されたリングと、当該つゆ先と連結する前記添え骨の末端に固定されたリングとが、直接、または１若しくは２以上の独立したリングを介して、鎖状に連結された連結機構を備えることを特徴とする請求項１記載の傘。
【請求項３】
前記添え骨は、丈夫で軽い棒状の部材からなり、前記雨除け生地は、透明または半透明である部材からなる特徴とする、請求項１または２に記載の傘。
【請求項４】
前記雨除け生地の端部は、近接する傘地の端部と、全部または一部が、折り畳み可能に縫合または接着されていることを特徴とする請求項１乃至３記載の傘。
【考案の詳細な説明】
【技術分野】
【０００１】
本考案は、雨除けシートを取り付けた子供用傘に関する。
【背景技術】
【０００２】
従来、雨傘を使用しているときに、ランドセルやリュックサックなどを背負うと、傘からはみ出して雨に濡れてしまうため、雨傘を使用しているときに、背負っている物を濡れないように防止膜を張りつけたものがある（特許文献１および２）。
撥水性の布を取り付けた傘は、はめ込み式の固定器具を傘骨に取り付けているため、傘を畳む際には、固定器具を取り外す。（特許文献１）。
また、傘本体の骨に着脱式の固定具を用いてマントを取り付けたものがあるが、雨除け用のマントに骨がついていない（特許文献２）
さらに、雨傘用の濡れを防止する幕は、外側に逃がす穴があいているため、膜に隙間ができている（特許文献３）。
【先行技術文献】
【特許文献】
【０００３】
【特許文献１】特開２００１−１２０３２０号
【特許文献２】特開２００６−２４７３１３号
【特許文献３】特開２０１７−１２６５９号
【考案の概要】
【考案が解決しようとする課題】
【０００４】
特許文献１の撥水性の布を取り付けた傘は、はめ込み式の固定器具を傘骨に取り付けている特徴があるが、傘を畳む際には、固定器具を取り外さなければならないので手間がかかるのが欠点である。
【０００５】
また、特許文献２の傘本体の骨に着脱式の固定具を用いてマントを取り付けたものが特徴であるが、雨よけ用のマントに骨がないため、風が吹くとマントがめくれ上がってしまい、安心して使用することができないのが欠点である。
【０００６】
さらに、特許文献３の雨傘用の濡れを防止する幕は、つゆ先を逃すスリットを特徴と
するが、隙間があるため雨が入ってくることが欠点である。
【課題を解決するための手段】
【０００７】
第１の考案は、並列する２以上の添え骨と、前記２以上の添え骨の上に張られた雨除け生地と、前記添え骨の一端と傘の親骨のつゆ先とを、折り曲げ可能に連結する連結部とを備え、前記添え骨に傘布を取り付けたことを特徴とする。
【０００８】
また、第２の考案は、前記つゆ先の末端に固定されたリングと、当該つゆ先と連結する前記添え骨の末端に固定されたリングとが、直接、または１若しくは２以上の独立したリングを介して、鎖状に連結された連結機構を備えることを特徴とする。
【０００９】
また、第３の考案はの添え骨は、丈夫で軽い棒状の部材からなり、前記雨除け生地は、透明または半透明である部材からなる特徴とする。
【００１０】
さらに、第４の考案の雨除け生地の端部は、近接する傘地の端部と、全部または一部が、折り畳み可能に接着または縫合されていることを特徴とする。
【考案の効果】
【００１１】
本考案の傘は、ランドセルと一緒にナップサックを背負っても、覆われているため雨に濡れることはない。また、傘を使用した後は、グラスファイバー製などの骨に、折り曲げ可能な連結機構を繋げているため、本体と同時に折りたたんで一緒に閉じることができる。また、雨除け布は、透明であるため、装着時に後方を目視可能であるとともに、日よけ、風除け等としても機能する。
【図面の簡単な説明】
【００１２】
【図１】本考案の傘を開いたときの俯瞰図を表したものである。
【図２】本考案の傘を開いたときの針金部の断面図を表したものである。
【図３】傘を閉じて、収納したときの断面図である。
【図４−ａ】傘布と雨除け布の縫合を表したものである。
【図４−ｂ】傘布と一部繋がってる雨除け布を表したものである。
【考案を実施するための形態】
【００１３】
以下、本考案の実施形態について説明する。
図１は、子供用傘を開いた時の一例を示した俯瞰図である。
子供用傘は、並列する２以上の添え骨と、前記２以上の添え骨の上に張られた雨除け生地と、前記添え骨の一端と傘の親骨のつゆ先とを、折り曲げ可能に連結する連結部とを備える。前記連結部は、前記つゆ先の末端に固定されたリングと、当該つゆ先と連結する前記添え骨の末端に固定されたリングとが、直接、または１若しくは２以上の独立したリングを介して、鎖状に連結された連結機構を備えている。
前記添え骨は、丈夫で軽い棒状の部材からなり、前記雨除け生地は、透明または半透明である部材からなる。前記雨除け生地の端部は、近接する傘地の端部と、全部または一部が、折り畳み可能に接着または縫合されている。
【００１４】
傘は、傘を束ねているネーム紐を外し、雨除け布６が下方向に垂れるように、体の前向きに持つ。傘を開きながら、頭上に持っていくと雨除け布が後ろのランドセルとリュックを覆いかぶさるように傘をさすことができる。
【００１５】
図２は、傘を開いた時の針金部の断面図を示した図である。傘の親骨２に取り付けた添え骨に、リング形状にした針金３を取り付けて、別のリング形状に作成したアタッチメント機構を備えた連結具４で、連結して使用する。
【００１６】
図３は、傘を閉じて収納した時の断面図を示した図である。
添え骨６に取り付けた、リング形状にした針金５を介して、別のリング形状に作成したアタッチメント機構を備えた連結具４で傘本体のつゆ先に取り付ける。前記アタッチメント機構を備えた連結具４は、自由自在に動くことができるため、雨除け布７は、傘布８と一緒に折りたたんで収納することができる。添え骨の部材は、丈夫で軽い棒状の部材、グラスファイバーが好ましいが、金属製でもよい。
雨除け布は、傘をさしたまま安全確認ができるように、後方が見やすい部材である透明なポリエチレン製が好ましいが、これに限らない。
【００１７】
図４―aは、傘布と雨除け布の縫合箇所を表したものである。雨水が入らない様に隙間なく縫合した場合の縫合箇所を示したものである。
図４―bは、傘布と一部繋がってる雨除け布を表したものである。
雨水が入らない様重ね合わせ、接着またはホックなどで固定する場合を示したものである。
【産業上の利用可能性】
【００１８】
本考案に係る傘はランドセルとリュックまたは、ナップサックを一緒に背負っても、濡れない子供用雨傘として利用できる。
【符号の説明】
【００１９】
１  傘本体
２  傘の親骨
３  つゆ先側のリング形状の連結機構
４  別のリング形状の連結具
５  添え骨側のリング形状の連結機構
６  添え骨
７  雨除け布
８  傘布
９  隙間なく縫合した場合の縫合箇所
１０  一部が接着または固定されている場合
【図１】
0003230184.tif 000003
【図２】
0003230184.tif 000004
【図３】
0003230184.tif 000005
【図４−ａ】
0003230184.tif 000006
【図４−ｂ】
0003230184.tif 000007